(57)【要約】      （修正有）【課題】ゲーム機の放熱装置の提供。【解決手段】主に本体１、冷媒板２、及びファン３を有する。そのうち、該本体は裏面１１と外面１２を有し、該裏面はゲーム機と結合により接触する面であり、その後に冷媒板を取り付ける。該冷媒板の内部に風道２１を設け、該ファンを該風道に取り付ける。該外面板に送風口１１１を設け、該風道に連絡することにより、空気を該風道に導入する。該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図る。【選択図】図２
0003133746.tif 000002
【実用新案登録請求の範囲】
【請求項１】
ゲーム機の一端に設ける一種のゲーム機の放熱装置において、本体、冷媒板、及びファンを含み、そのうち、該本体は裏面と外面を有し、該裏面はゲーム機と結合により接触する面であり、その後に冷媒板を取り付け、該冷媒板の内部に風道を設け、該ファンを該風道に取り付け、該外面板に送風口を設け、該風道に連絡することにより、空気を該風道に導入し、該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図ることを特徴とするゲーム機の放熱装置。
【請求項２】
さらに、複数の空気導入口を設け、該空気導入口はゲーム機の放熱口の形状と大きさに合わせて、突起状を形成し該風道の末端部に取り付け、該空気導入口はゲーム機の放熱口に挿入し、冷風をより順調にゲーム機内部に導入することを特徴とする請求項１記載のゲーム機の放熱装置。
【請求項３】
該ファンに必要な電源はＵＳＢ電源ケーブルより供給することを特徴とする請求項２記載のゲーム機の放熱装置。
【請求項４】
該ゲーム機はＰＳ３ゲーム機であることを特徴とする請求項１又は請求項２又は請求項３記載のゲーム機の放熱装置。
【請求項５】
該ゲーム機はＷｉｉゲーム機であることを特徴とする請求項１又は請求項２又は請求項３記載のゲーム機の放熱装置。
【請求項６】
該ゲーム機はＸＢｏｘゲーム機であることを特徴とする請求項１又は請求項２又は請求項３記載のゲーム機の放熱装置。
【考案の詳細な説明】
【技術分野】
【０００１】
本考案はゲーム機放熱装置、特に一種の冷媒放熱効果を利用したゲーム機放熱装置に関わるものである。
【背景技術】
【０００２】
時代の進歩につれて、われわれ人類は娯楽、リクリエーション生活にますます重視し、科学技術産業もこの趨勢に従い、大量な手間と金銭を投じて開発をする。よって、科学技術と娯楽はこの世紀の日進月歩な産業の一つとなった。そのうち、テレビゲーム機がもっとも愛好されている。
【０００３】
電子産業が進歩し、テレビゲーム機の機能もますます強化している。ゲーム機とパソコンの比較を比較すると、勝ることがあれば、劣ることはない。また、両者の機能が絶えずに向上するキーポイントは、マイクロプロセッサーと記憶装置機能向上の点があげられる。
【０００４】
今日のゲーム機は最新型のマイクロプロセッサーと記憶装置機能を採用することにより、効率を飛躍的に向上された反面、パソコンと同じ問題に直面している。すなわち、膨大な熱エネルギーである。放熱課題はもはや時下の新型ゲーム機に直面する共通課題である。
【考案の開示】
【考案が解決しようとする課題】
【０００５】
本考案のゲーム機の放熱装置は、ゲーム機の一端に設ける。主に本体、冷媒板、及びファンを有する。そのうち、該本体は裏面と外面を有し、該裏面はゲーム機と結合により接触する面であり、その後に冷媒板を取り付ける。該冷媒板の内部に風道を設け、該ファンを該風道に取り付ける。該外面板に送風口を設け、該風道に連絡することにより、空気を該風道に導入する。該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図る。
【課題を解決するための手段】
【０００６】
請求項１の考案は、ゲーム機の一端に設ける一種のゲーム機の放熱装置において、主に本体、冷媒板、及びファンを含み、そのうち、該本体は裏面と外面を有し、該裏面はゲーム機と結合により接触する面であり、その後に冷媒板を取り付け、該冷媒板の内部に風道を設け、該ファンを該風道に取り付け、該外面板に送風口を設け、該風道に連絡することにより、空気を該風道に導入し、該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図ることを特徴とするゲーム機の放熱装置としている。
請求項２の考案は、さらに、複数の空気導入口を設け、該空気導入口はゲーム機の放熱口の形状と大きさに合わせて、突起状を形成し該風道の末端部に取り付け、該空気導入口はゲーム機の放熱口に挿入し、冷風をより順調にゲーム機内部に導入することを特徴とする請求項１記載のゲーム機の放熱装置としている。
請求項３の考案は、該ファンに必要な電源はＵＳＢ電源ケーブルより供給することを特徴とする請求項２記載のゲーム機の放熱装置としている。
請求項４の考案は、該ゲーム機はＰＳ３ゲーム機であることを特徴とする請求項１又は請求項２又は請求項３記載のゲーム機の放熱装置としている。
請求項５の考案は、該ゲーム機はＷｉｉゲーム機であることを特徴とする請求項１又は請求項２又は請求項３記載のゲーム機の放熱装置としている。
請求項６の考案は、該ゲーム機はＸＢｏｘゲーム機であることを特徴とする請求項１又は請求項２又は請求項３記載のゲーム機の放熱装置としている。
【考案の効果】
【０００７】
本考案は一種のゲーム機の放熱装置に関わるものであり、ゲーム機の一端に設けるものである。主に本体、冷媒板、及びファンを有する。そのうち、該本体は裏面と外面を有し、該裏面はゲーム機と結合により接触する面であり、その後に冷媒板を取り付ける。該冷媒板の内部に風道を設け、該ファンを該風道に取り付ける。該外面板に送風口を設け、該風道に連絡することにより、空気を該風道に導入する。該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図る。
【考案を実施するための最良の形態】
【０００８】
実施例１は、本考案のゲーム機の放熱装置をＰＳ３ゲーム機での応用例である。図１〜図５に示す通り、本考案のゲーム機放熱装置はゲーム機Ａの一端に取り付ける。主に、本体１、冷媒板２、ファン３及び複数の空気導入口４を有する。そのうち、該本体１は裏面１１と外面１２を有し、該裏面１１はゲーム機Ａと結合する接触面を設け、その後側に冷媒板２を設ける。該冷媒板２の内部に風道２１を設け、該ファン３を該風道２１内部に取り付ける。該外面１２の該ファン３に対応する場所に送風口１１１を設け、該風道２１と連絡することにより、空気を該風道２１に送り込む。該空気導入口４はゲーム機Ａに備える放熱口Ａ１の形状と大きさに合わせて、突起状を形成し、該風道２１の末端部に取り付ける。該空気導入口４はゲーム機Ａの放熱口Ａ１に挿入する。該ファン３の必要な電機はＵＳＢ電源ケーブル５を介して、ゲーム機より供給される。
【０００９】
図６に示す通り、該冷媒板２はゲーム機Ａよりの熱エネルギーＸを受けると、該冷媒板２の他端は冷却を開始し、該風道２１内部の空気を冷空気Ｙに変換した後、該ファン３により、冷空気Ｙを該空気導入口４から該ゲーム機Ａ内部に送り込み、放熱及び温度降下の効果を実現する。
【００１０】
図７は、本考案のゲーム機の放熱装置をＷｉｉゲーム機での応用例である。
【００１１】
図８は、本考案のゲーム機の放熱装置をＸＢｏｘゲーム機での応用例である。
【００１２】
前記した説明により、本考案の放熱装置は冷媒の冷却特性を利用し、ゲーム機の熱エネルギーを大幅に降下させ、放熱及び温度の引き下げ効果を図る。
【図面の簡単な説明】
【００１３】
【図１】本考案の実施例１の立面概略図である。
【図２】本考案の実施例１の立体分解図である。
【図３】本考案実施例１の使用態様図である(その１)。
【図４】本考案実施例１の使用態様図である(その２)。
【図５】本考案実施例１の使用態様図である(その３)。
【図６】本考案の実施例１の動作説明図である。
【図７】本考案実施例２の使用態様図である。
【図８】本考案実施例３の使用態様図である。
【符号の説明】
【００１４】
１  本体
１１  裏面
１１１  送風口
１２  外面
２  冷媒板
２１  風道
３  ファン
４  空気導入口
５  ＵＳＢ電源ケーブル
Ａ  ゲーム機
Ａ１  放熱口
Ｘ  熱エネルギー
Ｙ  冷空気
【図１】
0003133746.tif 000003
【図２】
0003133746.tif 000004
【図３】
0003133746.tif 000005
【図４】
0003133746.tif 000006
【図５】
0003133746.tif 000007
【図６】
0003133746.tif 000008
【図７】
0003133746.tif 000009
【図８】
0003133746.tif 000010
【手続補正書】
【提出日】平成19年5月16日(2007.5.16)
【手続補正１】
【補正対象書類名】実用新案登録請求の範囲
【補正対象項目名】全文
【補正方法】変更
【補正の内容】
【実用新案登録請求の範囲】
【請求項１】
ゲーム機の一端に設ける一種のゲーム機の放熱装置において、本体、冷媒板、及びファンを含み、そのうち、該本体は裏面と外面を有し、該裏面はゲーム機と結合により接触する面であり、その後に冷媒板を取り付け、該冷媒板の内部に風道を設け、該ファンを該風道に取り付け、該外面板に送風口を設け、該風道に連絡することにより、空気を該風道に導入し、該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図ることを特徴とするゲーム機の放熱装置。
【請求項２】
さらに、複数の空気導入口を設け、該空気導入口はゲーム機の放熱口の形状と大きさに合わせて、突起状を形成し該風道の末端部に取り付け、該空気導入口はゲーム機の放熱口に挿入し、冷風をより順調にゲーム機内部に導入することを特徴とする請求項１記載のゲーム機の放熱装置。
【請求項３】
該ファンに必要な電源はＵＳＢ電源ケーブルより供給することを特徴とする請求項２記載のゲーム機の放熱装置。
【請求項４】
該ゲーム機はＰＳ３(登録商標)ゲーム機であることを特徴とする請求項１又は請求項２又は請求項３記載のゲーム機の放熱装置。
【請求項５】
該ゲーム機はＷｉｉ(登録商標)ゲーム機であることを特徴とする請求項１又は請求項２又は請求項３記載のゲーム機の放熱装置。
【請求項６】
該ゲーム機はＸＢｏｘ(登録商標)ゲーム機であることを特徴とする請求項１又は請求項２又は請求項３記載のゲーム機の放熱装置。
【手続補正２】
【補正対象書類名】明細書
【補正対象項目名】全文
【補正方法】変更
【補正の内容】
【考案の詳細な説明】
【技術分野】
【０００１】
本考案はゲーム機放熱装置、特に一種の冷媒放熱効果を利用したゲーム機放熱装置に関わるものである。
【背景技術】
【０００２】
時代の進歩につれて、われわれ人類は娯楽、リクリエーション生活にますます重視し、科学技術産業もこの趨勢に従い、大量な手間と金銭を投じて開発をする。よって、科学技術と娯楽はこの世紀の日進月歩な産業の一つとなった。そのうち、テレビゲーム機がもっとも愛好されている。
【０００３】
電子産業が進歩し、テレビゲーム機の機能もますます強化している。ゲーム機とパソコンを比較すると、勝ることがあれば、劣ることはない。また、両者の機能が絶えずに向上するキーポイントは、マイクロプロセッサーと記憶装置機能向上の点があげられる。
【０００４】
今日のゲーム機は最新型のマイクロプロセッサーと記憶装置機能を採用することにより、効率を飛躍的に向上された反面、パソコンと同じ問題に直面している。すなわち、膨大な熱エネルギーである。放熱課題はもはや時下の新型ゲーム機に直面する共通課題である。
【考案の開示】
【考案が解決しようとする課題】
【０００５】
本考案のゲーム機の放熱装置は、ゲーム機の一端に設ける。主に本体、冷媒板、及びファンを有する。そのうち、該本体は裏面と外面を有し、該裏面はゲーム機と結合により接触する面であり、その後に冷媒板を取り付ける。該冷媒板の内部に風道を設け、該ファンを該風道に取り付ける。該外面板に送風口を設け、該風道に連絡することにより、空気を該風道に導入する。該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図る。
【課題を解決するための手段】
【０００６】
請求項１の考案は、ゲーム機の一端に設ける一種のゲーム機の放熱装置において、主に本体、冷媒板、及びファンを含み、そのうち、該本体は裏面と外面を有し、該裏面はゲーム機と結合により接触する面であり、その後に冷媒板を取り付け、該冷媒板の内部に風道を設け、該ファンを該風道に取り付け、該外面板に送風口を設け、該風道に連絡することにより、空気を該風道に導入し、該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図ることを特徴とするゲーム機の放熱装置としている。
請求項２の考案は、さらに、複数の空気導入口を設け、該空気導入口はゲーム機の放熱口の形状と大きさに合わせて、突起状を形成し該風道の末端部に取り付け、該空気導入口はゲーム機の放熱口に挿入し、冷風をより順調にゲーム機内部に導入することを特徴とする請求項１記載のゲーム機の放熱装置としている。
請求項３の考案は、該ファンに必要な電源はＵＳＢ電源ケーブルより供給することを特徴とする請求項２記載のゲーム機の放熱装置としている。
請求項４の考案は、該ゲーム機はＰＳ３(登録商標)ゲーム機であることを特徴とする請求項１又は請求項２又は請求項３記載のゲーム機の放熱装置としている。
請求項５の考案は、該ゲーム機はＷｉｉ(登録商標)ゲーム機であることを特徴とする請求項１又は請求項２又は請求項３記載のゲーム機の放熱装置としている。
請求項６の考案は、該ゲーム機はＸＢｏｘ(登録商標)ゲーム機であることを特徴とする請求項１又は請求項２又は請求項３記載のゲーム機の放熱装置としている。
【考案の効果】
【０００７】
本考案は一種のゲーム機の放熱装置に関わるものであり、ゲーム機の一端に設けるものである。主に本体、冷媒板、及びファンを有する。そのうち、該本体は裏面と外面を有し、該裏面はゲーム機と結合により接触する面であり、その後に冷媒板を取り付ける。該冷媒板の内部に風道を設け、該ファンを該風道に取り付ける。該外面板に送風口を設け、該風道に連絡することにより、空気を該風道に導入する。該冷媒板はゲーム機の熱を受けると、該冷媒板の他端は冷却を開始し、該風道内部の空気を冷たい空気に変換した上、該ファンにより、冷たい風を該ゲーム機本体に吹き込み、放熱及び温度の引き下げ効果を図る。
【考案を実施するための最良の形態】
【０００８】
実施例１は、本考案のゲーム機の放熱装置をＰＳ３(登録商標)ゲーム機での応用例である。図１〜図５に示す通り、本考案のゲーム機放熱装置はゲーム機Ａの一端に取り付ける。主に、本体１、冷媒板２、ファン３及び複数の空気導入口４を有する。そのうち、該本体１は裏面１１と外面１２を有し、該裏面１１はゲーム機Ａと結合する接触面を設け、その後側に冷媒板２を設ける。該冷媒板２の内部に風道２１を設け、該ファン３を該風道２１内部に取り付ける。該外面１２の該ファン３に対応する場所に送風口１１１を設け、該風道２１と連絡することにより、空気を該風道２１に送り込む。該空気導入口４はゲーム機Ａに備える放熱口Ａ１の形状と大きさに合わせて、突起状を形成し、該風道２１の末端部に取り付ける。該空気導入口４はゲーム機Ａの放熱口Ａ１に挿入する。該ファン３の必要な電気はＵＳＢ電源ケーブル５を介して、ゲーム機より供給される。
【０００９】
図６に示す通り、該冷媒板２はゲーム機Ａよりの熱エネルギーＸを受けると、該冷媒板２の他端は冷却を開始し、該風道２１内部の空気を冷空気Ｙに変換した後、該ファン３により、冷空気Ｙを該空気導入口４から該ゲーム機Ａ内部に送り込み、放熱及び温度降下の効果を実現する。
【００１０】
図７は、本考案のゲーム機の放熱装置をＷｉｉ(登録商標)ゲーム機での応用例である。
【００１１】
図８は、本考案のゲーム機の放熱装置をＸＢｏｘ(登録商標)ゲーム機での応用例である。
【００１２】
前記した説明により、本考案の放熱装置は冷媒の冷却特性を利用し、ゲーム機の熱エネルギーを大幅に降下させ、放熱及び温度の引き下げ効果を図る。
【図面の簡単な説明】
【００１３】
【図１】本考案の実施例１の立面概略図である。
【図２】本考案の実施例１の立体分解図である。
【図３】本考案実施例１の使用態様図である(その１)。
【図４】本考案実施例１の使用態様図である(その２)。
【図５】本考案実施例１の使用態様図である(その３)。
【図６】本考案の実施例１の動作説明図である。
【図７】本考案実施例２の使用態様図である。
【図８】本考案実施例３の使用態様図である。
【符号の説明】
【００１４】
１  本体
１１  裏面
１１１  送風口
１２  外面
２  冷媒板
２１  風道
３  ファン
４  空気導入口
５  ＵＳＢ電源ケーブル
Ａ  ゲーム機
Ａ１  放熱口
Ｘ  熱エネルギー
Ｙ  冷空気